(57)【要約】【課題】機器の操作に慣れていない場合や初めて使用する場合にも、取り扱い説明書を読むことなく、簡単に、機器の操作を行えること。【解決手段】機器の操作方法や機能、機能設定手順の説明を行う説明モードの説明の動作遷移は、報知部１３と表示部１２のいずれか、または、両方で機器の動作状態を通知する通常モードと同じ表示と報知を行いつつ、操作説明を行うことにより、使用者が機器の操作がわからない場合にも、簡単に、実動作の手順により操作説明を聞くことができ、また、使用者の操作（習熟）レベルに合わせた使い勝手のよい調理器を自動で設定できる。【選択図】図１
2013149520.tif 000002
【特許請求の範囲】
【請求項１】
被加熱物と磁気結合する加熱コイルと、前記加熱コイルと共振する共振コンデンサを有する共振回路及び、オン／オフすることにより前記共振回路に共振電流を発生させるスイッチング素子を有したインバータ回路と、前記スイッチング素子の駆動信号を出力して、前記加熱コイルの加熱出力を制御する制御部と、前記制御部からの信号により音声やブザー音等を出力する報知部と、複数のスイッチにより構成され、機器電源のオン／オフ、加熱メニュー選択、タイマー設定、火力設定、加熱の開始と停止等の操作を行う操作部と、前記操作部で設定された状態や機器の動作状態等を表示する表示部と、前記報知部と前記表示部のいずれか、または、両方で機器の動作状態を通知する通常モードと機器の操作方法や機能、機能設定手順の説明を行う説明モードを切替える手段とを備え、前記説明モードの説明の動作遷移は、前記通常モードと同じ表示と報知を行いつつ、操作説明を行う加熱調理器。
【請求項２】
前記説明モードの説明内容項目数を前記通常モードで操作や設定できる項目数より減らした請求項１に記載の加熱調理器。
【請求項３】
使用可能な加熱メニューやタイマー設定を含む機能設定の組み合わせであるメニュー群を切り替えるメニュー群選択部を備え、使用可能な前記機能設定の組み合わせは異なるが、少なくとも１つの共通な前記機能を持つ前記メニュー群を３つ以上有し、前記説明モードの説明項目数を前記メニュー群毎に変更する請求項１または２に記載の加熱調理器。
【請求項４】
前記説明モードの説明速度を、設定された前記メニュー群毎に変更する請求項３に記載の加熱調理器。
【請求項５】
前記説明モードにおける説明項目の次項目への遷移条件を、使用者が通常モードと同じキー操作を行い通常モードが遷移する条件と同じとした請求項１から４のいずれか１項に記載の加熱調理器。
【請求項６】
使用者の操作による前記説明モードの次項目遷移条件入力完了までの時間や操作入力を正しい手順に対して、間違った操作回数の比率により、操作習熟度のレベルを判定し、その判定されたレベルを前記表示部に表示する請求項５に記載の加熱調理器。
【請求項７】
前記操作習熟度のレベルに合わせて、前記説明モードの説明項目数と内容を変更する請求項１から６のいずれか１項に記載の加熱調理器。
【発明の詳細な説明】
【技術分野】
【０００１】
本発明は、一般家庭及び業務用として使用される加熱調理器に関するものである。
【背景技術】
【０００２】
従来、この種の加熱調理器は、直火を使わない安全な加熱装置として普及しつつあり、視覚障害者や高齢者にも安全な加熱装置として認識されている。また、便利性を向上させるため、操作スイッチに連動して音声を発生させるものが種々提案されている。
【０００３】
例えば、誘導加熱調理器は、現在の動作状態を確認する確認スイッチを備え、確認スイッチの操作で現在の動作状態を音声報知手段により報知している。例えば「湯沸かし動作中です。」、「湯沸かし後保温中です。」、「揚げ物動作中です。」など、行われている加熱動作の現在の状態を簡潔に表現する内容にしてある（例えば、特許文献１参照）。
【０００４】
使用者が加熱開始手段を操作すると、その操作内容を音声報知手段で確認することによって、誤認による誤操作を低減させる方法も考案されている（例えば、特許文献２参照）。
【先行技術文献】
【特許文献】
【０００５】
【特許文献１】特開平７−７３９６３号公報
【特許文献２】特開２００７−４９８９号公報
【発明の概要】
【発明が解決しようとする課題】
【０００６】
しかしながら、前記従来の構成では、有した多くの機能を、多数ある操作キーを正確な手順で選択し、機能の設定を行わなければならない為、取り扱い説明書を読み、機器の持つ機能とその設定方法や操作方法を正確に理解しなければならないが、取り扱い説明書の表記だけでは、実際の機器の動作表示方法や報知音、操作感やすべての動作手順を表現することは困難であるという課題があった。
【０００７】
本発明は前記従来の課題を解決するもので、初めて使用する使用者や機器の操作に慣れていない使用者でも、簡単に、誤解無く操作を理解し、使用することができる加熱調理器を提供する事を目的とする。
【課題を解決するための手段】
【０００８】
前記従来の課題を解決するために、本発明の加熱調理器は、制御部からの信号により音声やブザー音等を出力する報知部と、複数のスイッチにより構成され、機器電源のオン／オフ、加熱メニュー選択、タイマー設定、火力設定、加熱の開始と停止等の操作を行う操作部と、前記操作部で設定された状態や機器の動作状態等を表示する表示部と、前記報知部と前記表示部のいずれか、または、両方で、機器の動作状態を通知する通常モードと機器の操作方法や機能、機能設定手順の説明を行う説明モードを切替える手段とを備え、前記説明モードの説明の動作遷移は、前記通常モードと同じ表示と報知を行いつつ、操作説明を行うとしたものである。
【０００９】
これによって、操作手順を実機が動作し遷移していく通りに、その時の表記方法と報知方法を行いつつ機器の操作説明を行うことにより、使用者が誤解なく、また、取り扱い説明書では表現しきれないニュアンスも使用者に伝えることを可能としたものである。
【発明の効果】
【００１０】
本発明の加熱調理器は、操作の説明を実機の動作手順どおりに表示、および、報知を遷移させながら行うため、初めて使用する使用者や機器の操作に慣れていない使用者でも、簡単に、誤解なく操作を理解し、使用することができる。
【図面の簡単な説明】
【００１１】
【図１】本発明の実施の形態１における加熱調理器のブロック図
【図２】本発明の実施の形態１における加熱調理器のトッププレート１の上面図
【図３Ａ】本発明の実施の形態１における加熱調理器の動作説明モードの表示部の図
【図３Ｂ】本発明の実施の形態１における加熱調理器の動作説明モードの表示部の図
【図３Ｃ】本発明の実施の形態１における加熱調理器の動作説明モードの表示部の図
【図３Ｄ】本発明の実施の形態１における加熱調理器の動作説明モードの表示部の図
【図３Ｅ】本発明の実施の形態１における加熱調理器の動作説明モードの表示部の図
【図３Ｆ】本発明の実施の形態１における加熱調理器の動作説明モードの表示部の図
【図３Ｇ】本発明の実施の形態１における加熱調理器の動作説明モードの表示部の図
【図４】本発明の実施の形態２における加熱調理器の動作フローチャート
【図５】本発明の実施の形態３における加熱調理器の動作フローチャート
【発明を実施するための形態】
【００１２】
第１の発明は、被加熱物と磁気結合する加熱コイルと、前記加熱コイルと共振する共振コンデンサを有する共振回路及び、オン／オフすることにより前記共振回路に共振電流を発生させるスイッチング素子を有したインバータ回路と、前記スイッチング素子の駆動信号を出力して、前記加熱コイルの加熱出力を制御する制御部と、前記制御部からの信号により音声やブザー音等を出力する報知部と、複数のスイッチにより構成され、機器電源のオン／オフ、加熱メニュー選択、タイマー設定、火力設定、加熱の開始と停止等の操作を行う操作部と、前記操作部で設定された状態や機器の動作状態等を表示する表示部と、前記報知部と前記表示部のいずれか、または、両方で機器の動作状態を通知する通常モードと機器の操作方法や機能、機能設定手順の説明を行う説明モードを切替える手段とを備え、前記説明モードの説明の動作遷移は、前記通常モードと同じ表示と報知を行いつつ、操作説明を行うとしたものである。
【００１３】
これによって、説明書では表現できないニュアンスまでも使用者に伝えることができる為、初めて使用する使用者や機器の操作に慣れていない使用者でも、簡単に操作を理解して使用できる。
【００１４】
第２の発明は、特に、第１の発明において、説明モードの説明内容項目数を前記通常モードで操作や設定できる項目数より減らしたものである。
【００１５】
これによって、初めて操作する使用者及び、機器操作に不慣れな状態ではあまり使用しない項目を省き、説明する内容を基本的な動作項目とすることにより、使用者の機器に対する拒否感や新しい操作に対するストレスを軽減でき、結果的に使用者の機器操作の理解及び慣れを早くすることができる。
【００１６】
第３の発明は、特に、第１または第２の発明において、使用可能な加熱メニューやタイマー設定を含む機能設定の組み合わせであるメニュー群を切り替えるメニュー群選択部を備え、使用可能な前記機能設定の組み合わせは異なるが、少なくとも１つの共通な前記機能を持つ前記メニュー群を３つ以上有し、前記説明モードの説明項目数を前記メニュー群毎に変更するとしたものである。
【００１７】
これによって、使用者の好みやレベルに合った、操作説明の項目を提供することができる。
【００１８】
第４の発明は、特に、第３の発明において、前記説明モードの説明速度を、設定された前記メニュー群毎に変更するとしたものである。これによって、使用者の好みやレベルに合った、操作方法の説明スピードを提供することができる。
【００１９】
第５の発明は、特に、第１〜４のいずれか１つの発明において、前記説明モードにおける説明項目の次項目への遷移条件を、使用者が通常モードと同じキー操作を行い通常モードが遷移する条件と同じとしたものである。
【００２０】
これによって、使用者が実際に操作することで、より機器への理解度と操作手順の習熟が増し、初めて使用する使用者や機器の操作に慣れていない使用者でも、簡単に操作を理解する期間が短縮される。
【００２１】
第６の発明は、特に、第５の発明において、使用者の操作による前記説明モードの次項目遷移条件入力完了までの時間や操作入力を正しい手順に対して、間違った操作回数の比率により、操作習熟度のレベルを判定し、その判定されたレベルを前記表示部に表示するものである。
【００２２】
これによって、使用者は自分がどのくらい機器を使いこなしているのかがわかり、機器の操作習熟や理解の補助となる。
【００２３】
第７の発明は、特に、第１から６のいずれか１つの発明において、前記操作習熟度のレベルに合わせて、前記説明モードの説明項目数と内容を変更するものである。
【００２４】
これによって、使用者のレベルに合わせた操作までの加熱調理器を提供することができ、使い勝手が向上する。
【００２５】
以下、本発明の実施の形態について、図面を参照しながら説明する。なお、この実施形態によって本発明が限定されるものではない。
【００２６】
（実施の形態１）
図１は、本発明の第１の実施の形態における加熱調理器のブロック図を示すものである。
【００２７】
図１において、機器上面に設けられたトッププレート１と、高周波磁界を発生させることによって、トッププレート１上の被加熱物１０を誘導加熱する加熱コイル２（外コイル２ａ及び内コイル２ｂ）と、を備える。
【００２８】
トッププレート１は、ガラスなどの電気絶縁物からなり、赤外線を透過する。加熱コイル２は、トッププレート１の下方に設けられている。
【００２９】
加熱コイル２は、同心円状に２分割されて外コイル２ａと内コイル２ｂを形成している。外コイル２ａと内コイル２ｂの間に、隙間が設けられている。被加熱物１０は、加熱コイル２の高周波磁界により発生した渦電流によって、発熱する。
【００３０】
トッププレート１の使用者側には、主電源のオンオフを入力する主電源スイッチ１５と、加熱の開始／停止などを使用者が指示できる操作部４には最終操作したスイッチの名称を説明したり、動作説明モードに移行したりするための音声スイッチ１６を含む構成とし
ている。
【００３１】
また、操作部４と被加熱物１０との間に加熱モードや火力などの状態を表示する表示部１２が設けられている。操作部４及び表示部１２の下方には、操作部４及び表示部１２を照射するための光源１４が設けられている。
【００３２】
赤外線センサ３は、外コイル２ａと内コイル２ｂとの間の隙間の下方に設けられる。この位置は、加熱コイル２の高周波磁界が強いため、被加熱物１０の底面の略最高温度を検出することができる。
【００３３】
被加熱物１０の底面から放射された、被加熱物１０の底面温度に基づく赤外線は、トッププレート１を通って入射し、外コイル２ａと内コイル２ｂとの間の隙間を通って、赤外線センサ３により受光される。赤外線センサ３は、受光した赤外線を検出し、検出した赤外線量に基づいた赤外線検出信号を出力する。
【００３４】
加熱コイル２の下方には、商用電源５から供給される交流電圧を直流電圧に変換する整流平滑部６と、整流平滑部６から直流電圧を供給されて加熱コイル２と共振する共振コンデンサを有する共振回路および、オン／オフすることにより共振回路に共振電流を発生させるスイッチング素子を有し、高周波電流を生成し、生成した高周波電流を加熱コイル２に出力するインバータ回路７とが設けられる。
【００３５】
また、商用電源５と整流平滑部６との間に、商用電源５から整流平滑部６に流れる入力電流を検出するための入力電流検出部９が設けられている。
【００３６】
また、操作部４から送信される信号及び赤外線センサ３が検出した温度に基づいて、インバータ回路７のスイッチング素子のオン／オフを制御する制御部８を有し、インバータ回路７から加熱コイル２に供給される高周波電流を制御する。
【００３７】
また、報知部１３を有し、最終操作したスイッチの名称を説明したり、動作説明モードなど各設定状態に合わせた音声データを出力するためのスピーカー等で構成される。
【００３８】
図２は本発明の第１の実施の形態における加熱調理器のトッププレート１の上面図を示す。トッププレート１には、被加熱物１０の載置場所を示す、少なくとも１つ以上（本実施の形態では、２つ）の加熱部１１が印刷により表示されている。
【００３９】
加熱コイル２は、加熱部１１の下方にそれぞれ配置される。加熱部１１の手前側（使用者側）に、表示部１２が設けられる。
【００４０】
表示部１２は、加熱コイル２の出力の大きさ、タイマーの残り時間、動作モードを識別するための文字などを表示する。
【００４１】
動作モードとは、インバータ回路７の制御による加熱動作の種類であり、例えば、炒めものをするのに適した予熱を行う予熱モード、通常の加熱を行う加熱モード、揚げ物をするのに適した油温調整を行う揚げ物モード、焼き物をするのに適した予熱を行い、引き続き温度調整を行う焼き物モードがある。
【００４２】
また、本実施の形態では動作モードは、図１に示す主電源スイッチ１５を押下後、引き続き音声スイッチ１６を操作することによって移行した動作説明モードも含む。
【００４３】
また、表示部１２には動作説明モードに移行した後、移行したことを案内する動作説明
モード表示部１２ａを含む。
【００４４】
操作部４は、表示部１２の手前側（使用者側）に設けられる。操作部４は、複数の静電容量式のスイッチ４ａ〜４ｆを含む。スイッチ４ａ〜４ｅは、調理に関する指示を入力するためのスイッチであって、加熱部１１の数に対応させて設けられている。また、動作説明モードに移行するための音声スイッチ１６も含む。
【００４５】
各スイッチ４ａ〜４ｆには、それぞれ特定の機能が割り当てられている。例えば、スイッチ４ａは、調理の開始及び終了を制御する機能が割り当てられた切／入スイッチである。
【００４６】
スイッチ４ｂは、「加熱」「予熱」「揚げ物」「焼き物」の調理メニューに適した動作モードに切り換える機能が割り当てられたメニュースイッチである。
【００４７】
メニュースイッチ４ｂを押下することによって、「加熱」「予熱」「揚げ物」「焼き物」の順に文字やイラストが点滅し、動作モードの選択が切り換えられる。「加熱」「予熱」「揚げ物」「焼き物」の動作モードが選択されているときに、切／入スイッチ４ａが操作されると、選択されている動作モードが決定され、決定された動作モードに対応する表示が点灯し、決定されなかった動作モードに対応する表示が消灯する。
【００４８】
スイッチ４ｃは、火力を上げる機能が割り当てられた火力設定スイッチである。スイッチ４ｄは、火力を下げる機能が割り当てられた火力設定スイッチである。
【００４９】
以上のように構成された加熱調理器について、以下、その動作、作用を説明する。
【００５０】
図３Ａ〜３Ｇは、本発明の第１の実施の形態における加熱調理器の動作説明モードの表示部を示す。
【００５１】
操作説明モードに移行すると、まず操作説明に誘導するために、図３Ａに示す左右ヒーター（加熱部）のメニューキー４ｂ、操作説明モード表示部１２ａが図３Ｃに示すように点滅し、報知部１３にて「操作方法の説明をはじめます。左のヒーターについて説明を聞くときは、左の点滅しているメニューボタンを押してください。右のヒーターについて説明を聞くときは、右の点滅しているメニューボタンを押してください。」と報知する。
【００５２】
なお、従来の誘導加熱調理器では魚を焼くグリルヒーターなどを有する構成も存在しており、グリルヒーターを動作説明モード内で選択して説明する構成にしてもよい。
【００５３】
左ヒーターのメニューキー４ｂを押下し、左ヒーターの動作説明を選択すると、左ヒーターメニューキー４ｂ、切／入キー４ａが点灯し、操作説明モード表示部１２ａが図３Ｄに示すように点滅し、「左のヒーターについて説明します。調理をはじめる時は、トッププレート上に点灯しているメニューボタンを押します。メニューボタンを押すと、調理メニューの文字が点灯します。」と報知部１３にて報知し、操作説明の各項目の一つである左ヒーターの説明が開始する。
【００５４】
ここより、表示やキー受付時のブザー音、及び、表示速度等は、前記通常モードと同じであり、以降の遷移手順も以下に説明するように通常モードの手順とおりに進み、左ヒーターのメニューキー４ｂを実際に押下したかのような表示を行い、途中以下のように説明のため「メニューボタンを押すごとに、文字の点滅する位置が変わり、調理したいメニューを選択できます。」と報知部１３にて報知する。
【００５５】
以下同様に、引き続きメニューキー４ｂを押下したかのような表示を行い、加熱の文字が点滅している状態で切入キー４ａを押下したかのような表示を行う。これにより、＋キー４ｅ、−キー４ｆ、アップキー４ｃ、ダウンキー４ｄ、切入キー４ａ、火力バー１２ｂ、選択されていないメニュー表示部１２ｄが点灯し、選択されているメニュー表示部（ここでは加熱）１２ｄ、動作説明モード表示部１２ａは図３Ｅに示すように点滅し、「通常の加熱調理を行うときはメニューボタンを押して、図３Ｆに示すように加熱の文字が点滅している状態にします。その状態で、スタートボタンを押すと、加熱を始めます。調理を終了するときは、切ボタンを押し、加熱を停止します。」と報知部１３にて報知する。
【００５６】
次に、アップキー４ｃを押下したかのような表示を行い、火力バー１２ｂを火力９まで変化させると同時に「加熱中、△ボタンを押すと、火力を変更できます。」と報知する。
【００５７】
次に、タイマキー４ｅを押下したかのような表示を行い、タイマー表示部１２ｄを例えば「０：０５」と表示し、「また、タイマーボタンを押すと、タイマーを設定でき、残り時間が表示されます。時間が経過し表示された残り時間がゼロになると、自動的に加熱を停止します。」と報知部１３にて報知する。
【００５８】
なお、タイマー表示部１２ｄにてタイマー残り時間を表示した後、タイマカウントダウン表示を行ってもよい。
【００５９】
最後に、左ヒーターの動作説明モードが終了すると、図３Ｇに示すように左右ヒーターのメニューキー４ｂ、動作説明モード表示部１２ａが点灯し、「詳しい説明については、取り扱い説明書をご確認ください。」と報知部１３にて報知する。
【００６０】
このように，前記，通常モードと同じ表示と報知とおりに遷移させつつ操作および機能の説明を行う為、説明書では表現できない細かい実際のニュアンスまでも使用者に伝えることができ、初めて使用する使用者や機器の操作に慣れていない使用者でも、簡単に操作を理解して使用できる。
【００６１】
また、有する機能のすべてを説明するのでなく、左右ヒーターと後ろヒーターとグリルについての説明において、それぞれ１項目のみの説明とし、説明する内容を絞ることで、使用者の機器に対する拒否感や新しい操作に対するストレスを軽減でき、結果的に使用者の機器操作の理解及び慣れが早くなる。
【００６２】
（実施の形態２）
図４は、本発明の第２の実施の形態における加熱調理器の動作フロー図である。
【００６３】
図１において、操作部には、調理メニューや機能の数や種類の異なるメニュー群を切り替えるための切替えスイッチ１７が配置される。
【００６４】
切替えるメニュー群として、全ての調理機能を使用可能な第１メニュー群で構成される通常操作モード。切り替えスイッチ１７の操作により操作方法を変更すると基本調理のみが使用可能な第２メニュー群で構成される簡単モードに移行し、ここでは表示しないが、表示部に操作モードを示す「かんたん」表記が点灯する。
【００６５】
また、かんたんモードで切り替えスイッチ１７の操作により操作方法を変更すると簡単モードより使用可能なメニューと機能が多い第３メニュー群で構成される簡単プラスモードに移行し、操作モードを示す「かんたん」「＋」の表記が表示部に点灯する。
【００６６】
さらに、簡単モードで切り替えスイッチ１７の操作により操作方法を変更すると通常モ
ードに戻る。
【００６７】
図４を使って前記モード時の説明操作モードの設定例を示す。Ｓｔｅｐ１は操作モード設定開始。次にＳｔｅｐ２は操作モードが通常モードが選択されたかどうかの判断をおこなう。もし、通常モードを選択されているならば、Ｓｔｅｐ３は通常説明設定とし、説明を行う内容をただ単に加熱を行うことだけでなく、自動制御を行う各加熱メニューについても説明を行うモードに設定する。
【００６８】
たとえば、左右と後ろバーナーの各加熱調理メニューおよび、タイマー設定、グリルの調理メニューについての説明を行う。次に通常モードを選択していないならば、Ｓｔｅｐ４は簡単モードが選択されたかどうかの判断を行う。
【００６９】
簡単モードが選択されているならば、Ｓｔｅｐ５は簡単説明設定とし、前記の通常説明設定より説明項目を減らしたモードに設定する。簡単モードも選択されていないのなら、Ｓｔｅｐ６は簡単プラスモードであるかの判断を行う。
【００７０】
簡単プラスモードが選択されているのならば、Ｓｔｅｐ７は簡単プラス説明設定とし、前記の簡単モードより説明項目が多く、前記通常モードよりも説明項目が少ないモード設定とする。
【００７１】
各モードが設定されるまで、説明設定の判定を繰り返す。
【００７２】
また、説明設定が行わればＳｔｅｐ８は処理を終了する。このことにより、調理メニューや機能の数や種類の異なるメニュー群を切り替える操作を行うだけで、それに合わせた使用者の好みやレベルに合った、操作説明の項目を自動的に設定し提供することができる。
【００７３】
ここでは、図示は行わないが、図４におけるＳｔｅｐ２は通常モード選択時に、説明モード時の音声速度を実動作での音声速度に設定し、Ｓｔｅｐ４は簡単モード選択時には、上記通常モードよりも音声速度を遅くし、Ｓｔｅｐ６は簡単プラスモード選択時には、前記簡単モードの音声速度より早く、また、上記通常モードの音声より遅く、音声速度を設定する。そのことにより、使用者の好みやレベルに合った、操作方法の説明スピードを自動的に設定し提供することができる。
【００７４】
（実施の形態３）
図５は、本発明の第３の実施の形態における加熱調理器の動作フロー図である。
【００７５】
図５は操作説明モードに移行し、その状態での説明が終了すると、次の項目説明に遷移するのだが、その遷移条件を使用者が正しいキー操作を行うことを条件とし、その動作を図５において説明する。
【００７６】
操作説明が次工程の移行待ちとなったときに、操作の習熟度判定アルゴリズムはＳｔｅｐ１で開始し、Ｓｔｅｐ２はタイマーカウントを始める。
【００７７】
次に、Ｓｔｅｐ３は使用者が説明を次工程へ進ませる為に、キーを入力するのを待つ。Ｓｔｅｐ４ｈａ入力されたキーが、説明する内容の加熱メニューや設定方法に対しての実機の操作手順と同じであるかどうかを判定する。
【００７８】
実機手順とことなる場合は、そのキー入力を無効とする。次に、正しいキー操作手順であった場合、Ｓｔｅｐ５は、そのキー操作だけで、次工程へ遷移する条件かどうかの判定
を行う。
【００７９】
次工程への条件が揃えば、Ｓｔｅｐ６はタイマーカウントを終了する。揃わなければ、条件が揃うまでキー入力を待つ。タイマーカウントにより、使用者の次工程への正しいキー入力操作をおこなう時間が計測され、あらかじめ設定された時間に閾値により、時間が速ければ操作の習熟レベルが高く、遅いと低いと判断し、その結果をＳｔｅｐ７は習熟度表示として、前記表示部にその判定値を表示する。このことにより、使用者は自分がどのくらい機器を使いこなしているのかがわかり、機器の操作訓練や理解の補助となる。
【００８０】
また、その習熟レベルに合わせて、前記実施形態３のメニュー群である通常、簡単、簡単プラスに設定されている調理メニューや機能の数を自動的に設定しなおす。たとえば、習熟度が高いと設定される調理メニュー数が増加し、習熟度が低いと減少させる。このことにより、使用者のレベルに合わせた操作までの加熱調理器を自動的に設定することができ、機器の使い勝手が向上する。
【産業上の利用可能性】
【００８１】
以上のように、本発明にかかる加熱調理器は、使用者が機器の操作がわからない場合にも、簡単に、実動作の手順により操作説明を聞くことができ、また、使用者の操作（習熟）レベルに合わせた使い勝手のよい調理器を自動で設定できるので、初めて使用する使用者や機器の操作に慣れていない使用者でも、簡単に、操作を理解して使用でき、使い勝手の良い商品を提供できるため、一般家庭やレストランなどで使用される誘導加熱調理器に有効である
【符号の説明】
【００８２】
１  トッププレート
２  加熱コイル
３  赤外線センサ
４  操作部
４ａ  切／入キー
４ｂ  メニューキー
４ｃ  アップキー
４ｄ  ダウンキー
４ｅ  ＋キー
４ｆ  −キー
５  商用電源
６  整流平滑部
７  インバータ回路
８  制御部
９  入力電流検出部
１０  被加熱物
１１  加熱部
１２  表示部
１２ａ  動作説明モード表示部
１２ｂ  火力表示部
１２ｃ  メニュー表示部
１２ｄ  タイマ表示部
１３  報知部
１４  光源
１５  主電源スイッチ
１６  音声スイッチ
１７  切替えスイッチ（メニュー群選択部）
【図１】
2013149520.tif 000003
【図２】
2013149520.tif 000004
【図３Ａ】
2013149520.tif 000005
【図３Ｂ】
2013149520.tif 000006
【図３Ｃ】
2013149520.tif 000007
【図３Ｄ】
2013149520.tif 000008
【図３Ｅ】
2013149520.tif 000009
【図３Ｆ】
2013149520.tif 000010
【図３Ｇ】
2013149520.tif 000011
【図４】
2013149520.tif 000012
【図５】
2013149520.tif 000013